(57)【要約】      （修正有）【課題】簡単に開閉できる飲料ボトルのキャップを提供する。【解決手段】キャップ１０は、内部に流路１１ａが形成された外周体１１と、外周体１１の他端部を閉鎖する蓋部１２と、蓋部１２により外周体１１の他端部を開閉する開閉部１３とを備えている。蓋部１２は外周体１１に対して回動可能に配設され、蓋部付勢部材により外周体１１の他端部を開放する方向に付勢されている。開閉部１３は、蓋部１２に配設された蓋係止部１３ａを係止することにより、外周体１１の他端部を蓋部１２により閉鎖し、蓋係止部１２ａの係止を解除することにより、外周体１１の他端部を開放する。【選択図】図３
0003185058.tif 000002
【実用新案登録請求の範囲】
【請求項１】
飲料ボトルの飲み口を閉鎖するキャップであって、
一方向に貫通する流路が設けられ、この流路の内周面の一端部側には螺合部が形成されており、この螺合部を前記飲料ボトルの飲み口の外周部に形成されている螺合部に螺合することにより、前記飲料ボトルの飲み口に固定される外周体と、
この外周体の他端部を開閉可能であり、前記外周体に対して回動可能に配設される配設部を有し、この配設部には前記外周体の他端部を開放する方向に付勢する蓋付勢部材が配設された蓋部と、
前記蓋部に設けられた蓋係止部を係止することにより、前記外周体の他端部を前記蓋部により閉鎖した状態に保持すると共に、前記蓋係止部の係止を解除することにより、前記外周体の他端部を開放可能とする開閉部と
を備えたことを特徴とするキャップ。
【請求項２】
前記開閉部は、
前記外周体に対して回動可能に配設され、前記蓋係止部を係止する係止保持部と、
前記蓋係止部の係止を解除する方向に前記係止保持部を付勢する解除方向付勢部材と、
前記外周体に対して変位可能に配設され、前記蓋係止部を係止する位置に前記係止保持部を固定すると共に、変位することにより、前記係止保持部の固定を解除する固定部と
を有することを特徴とする請求項１記載のキャップ。
【請求項３】
前記外周体の他端部側には、内周面に、一端部側から他端部側に向かい開口が大きくなるように傾斜された開口傾斜部が形成され、
前記蓋部の閉鎖側には、前記開口傾斜部に対応するように突出された傾斜凸部が設けられた
ことを特徴とする請求項１又は請求項２記載のキャップ。
【考案の詳細な説明】
【技術分野】
【０００１】
本考案は、ペットボトルなどの飲料ボトルに取り付けるキャップに関する。
【背景技術】
【０００２】
一般に、ペットボトルや魔法瓶などの飲料ボトルのキャップは、飲み口に対して螺合することにより、開閉している。
【先行技術文献】
【特許文献】
【０００３】
【特許文献１】実用新案登録第３１４１４２２号公報
【考案の概要】
【考案が解決しようとする課題】
【０００４】
しかしながら、飲み口を開閉するには、キャップを螺合するので、時間と手間がかかってしまうという問題があった。
【０００５】
本考案は、このような問題に基づきなされたものであり、より簡単に開閉できる飲料ボトルのキャップを提供することを目的とする。
【０００６】
なお、特許文献１には、ペットボトルのキャップが記載されているが、構成が全くことなっている。
【課題を解決するための手段】
【０００７】
本考案のキャップは、飲料ボトルの飲み口を閉鎖するものであって、一方向に貫通する流路が設けられ、この流路の内周面の一端部側には螺合部が形成されており、この螺合部を飲料ボトルの飲み口の外周部に形成されている螺合部に螺合することにより、飲料ボトルの飲み口に固定される外周体と、この外周体の他端部を開閉可能であり、外周体に対して回動可能に配設される配設部を有し、この配設部には外周体の他端部を開放する方向に付勢する蓋付勢部材が配設された蓋部と、蓋部に設けられた蓋係止部を係止することにより、外周体の他端部を蓋部により閉鎖した状態に保持すると共に、蓋係止部の係止を解除することにより、外周体の他端部を開放可能とする開閉部とを備えたものである。
【考案の効果】
【０００８】
本考案のキャップによれば、内周面の一端部側に螺合部を形成するようにしたので、飲料ボトルの飲み口の外周部に形成されている螺合部に螺合することにより、外周体を飲料ボトルの飲み口に固定することができる。また、開閉部を設けるようにしたので、蓋係止部を係止して蓋部を閉鎖した状態に保つことができると共に、蓋係止部の係止を解除することができる。更に、蓋部の配設部に蓋付勢部材を設けるようにしたので、例えば、蓋係止部の係止を解除した場合には、外周体の他端部を開放する方向に蓋部を付勢することができる。よって、より簡単に飲料ボトルの飲み口を開閉することができる。
【０００９】
また、開閉部に、外周体に対して回動可能に配設され、蓋係止部を係止する係止保持部と、蓋係止部の係止を解除する方向に係止保持部を付勢する解除方向付勢部材と、外周体に対して変位可能に配設され、蓋係止部を係止する位置に係止保持部を固定すると共に、変位することにより、係止保持部の固定を解除する固定部とを設けるようにしたので、固定部を変位させることにより、更に容易に飲料ボトルの飲み口を開閉することができる。
【００１０】
加えて、外周体の他端部側には、内周面に、一端部側から他端部側に向かい開口が大きくなるように傾斜された開口傾斜部を形成し、蓋部の閉鎖側には、開口傾斜部に対応するように突出された傾斜凸部を設けるようにしたので、開口傾斜部と傾斜凸部とを密着させることにより、飲料ボトル内の飲料が漏れるのを抑制することができる。
【図面の簡単な説明】
【００１１】
【図１】本考案の一実施の形態に係るキャップの外観構成を表す斜視図である。
【図２】図１に示したキャップの蓋部を開放した状態を表す斜視図である。
【図３】図１に示したＩ−Ｉ線に沿った端面構造を表す端面図である。
【図４】図１に示したキャップの蓋部を途中まで開放した状態を表すＩ−Ｉ線に沿った端面図である。
【考案を実施するための形態】
【００１２】
以下、本考案の実施の形態について、図面を参照して詳細に説明する。
【００１３】
図１は、本考案の一実施の形態に係るキャップ１０の構成を表すものであり、図２は、このキャップ１０の蓋部１２を開放した状態を表すものである。また、図３は、図１に示したＩ−Ｉ線に沿った端面図であり、図４は、蓋部を途中まで開放した端面図である。このキャップ１０は、例えば、飲料ボトル１００の飲み口１０１を閉鎖するものであり、飲料ボトル１００に固定する外周体１１と、蓋部１２とを備えている。
【００１４】
外周体１１は、例えば、円柱状の外観を有し、内部には一方向、具体的には、円柱状の高さ方向に貫通された流路１１ａが形成されている。流路１１ａの内周面の一端部側には、螺合部１１ｂが形成されており、飲料ボトル１００の飲み口１０１の外周部に形成されている螺合部１０２に螺合することにより、飲料ボトル１００の飲み口１０１に固定されるようになっている。飲料ボトル１００の飲み口１０１の形状は、特に限定はされないが、通常は、ＰＥＴボトルなどの飲み口のように筒状などが挙げられる。
【００１５】
外周体１１の他端部には、蓋部１２が配設されている。蓋部１２には、外周体１１に対して回動可能に配設する配設部１２ａが設けられており、回動することにより外周体１１の他端部を開閉することができるようになっている。配設部１２ａには、例えば、ばねなどの蓋部付勢部材１２ｂが設けられており、外周体１１の他端部を開放する方向に蓋部１２を付勢するようになっている。
【００１６】
また、外周体１１の他端部側には、内周面に、一端部側から他端部側に向かい開口が大きくなるように傾斜された開口傾斜部１１ｃが形成されることが好ましく、蓋部１２の閉鎖側には、開口傾斜部１１ｃに対応するように突出された傾斜凸部１２ｃが設けられていることが好ましい。開口傾斜部１１ｃと傾斜凸部１２ｃとを密着させることにより、飲料ボトル内の飲料が漏れるのを抑制することができるからである。また、開口傾斜部１１ｃを形成することにより他端部の厚みが薄くなるので、外周体１１に口を当てて飲料を飲む際に飲みやすくすることができるからである。
【００１７】
このキャップ１０は、また、蓋部１２により外周体１１の他端部を開閉するための開閉部１３を備えている。開閉部１３は、例えば、蓋部１２に配設された蓋係止部１３ａを有しており、この蓋係止部１２ａを係止することにより、外周体１１の他端部を蓋部１２により閉鎖した状態に保持すると共に、蓋係止部１２ａの係止を解除することにより、外周体１１の他端部を開放可能とするようになっている。
【００１８】
具体的には、開閉部１３は、例えば、外周体１１に対して回動可能に配設され、蓋係止部１３ａを係止する係止保持部１３ｂと、蓋係止部１３ａの係止を解除する方向に係止保持部１３ｂを付勢する解除方向付勢部材１３ｃと、外周体１１に対して変位可能に配設され、蓋係止部１３ａを係止する位置に係止保持部１３ｂを固定すると共に、変位することにより、係止保持部１３ｂの固定を解除する固定部１３ｄとを有している。
【００１９】
蓋係止部１３ａは、例えば、蓋部１２の閉鎖側周縁部において配設部１２ａと対向する位置に配設されることが好ましい。蓋係止部１３ａは、例えば、蓋部１２から外周体１１に向かって突出するように形成されており、その先端側には、外側に向かって突出された突起部１３ｅが形成されている。外周体１１には、例えば、蓋係止部１３ａと対向する位置に、蓋係止部１３ａを挿入する挿入穴１３ｆが設けられている。
【００２０】
係止保持部１３ｂは、例えば、蓋係止部１３ａと対向するように、外周体１１の挿入穴１３ｅの外側に配設されている。係止保持部１３ｂの他端部側には、例えば、蓋係止部１３ａの突起部を係止するように、蓋係止部１３ａに向かって突出された突起部１３ｇが形成されている。係止保持部１３ｂは、例えば、突起部１３ｇが外側に向かって回動するように配設されている。解除方向付勢部材１３ｃは、例えば、ばねにより構成されており、係止保持部１３ｂの突起部１３ｇを外側に回動させる方向に付勢している。
【００２１】
固定部１３ｄは、例えば、係止保持部１３ｂの一端部側が内側に回動しないように係止する回動係止部１３ｈを有している。回動係止部１３ｈは、例えば、係止保持部１３ｂの一端部側の内側に対向するように配設されている。固定部１３ｄは、また、例えば、回動係止部１３ｈから外側に向かって伸長され、回動係止部１３ｈを係止保持部１３ｂから離間する方向に移動させるための移動部１３ｉを有している。移動部１３ｉは、例えば、手動により係止保持部１３ｂから離間し、又は、接近する方向に移動可能とされている。なお、固定部１３ｄを付勢部材により係止保持部１３ｂに接近させる方向に付勢し、移動部１３ｉから手を離したときに、自動的に固定部１３ｂが係止保持部１３ｂに接近するようにしいてもよい。また、例えば、係止保持部１３ｂの外側に複数の突起を設け、移動部１３ｉを移動させる際の滑り止めとしての機能を持たせるようにしてもよい。
【００２２】
このキャップ１０は、例えば、飲料ボトル１００の飲み口１０１に外周体１１の螺合部１１ｂを螺合させることにより取り付けて用いる。飲料を飲む際には、例えば、固定部１３ｄの移動部１３ｉを手動により係止保持部１３ｂから離間させるように下げる。これにより、例えば、係止保持部１３ｂの固定が解除され、係止保持部１３ｂは解除方向付勢部材１３ｃにより突起部１３ｇが外側に向かって回動し、蓋係止部１３ａの係止が解除され、蓋部１２は蓋部付勢部材１２ｂにより外周体１１の他端部を開放する方向に回動する。
【００２３】
また、飲料を飲んだ後は、例えば、固定部１３ｄの移動部１３ｉを係止保持部１３ｂから離間させた状態に保持し、蓋部１２を回動させて外周体１１の他端部を閉鎖する。これにより、例えば、蓋係止部１３ａが挿入穴１３ｆに挿入され、蓋係止部１３ａにより係止保持部１３ｂの一端部側が押圧されて、係止保持部１３ｂの突起部１３ｇが内側に回動し、蓋係止部１３ａの突起部１３ｅを係止する。そののち、例えば、固定部１３ｄを係止保持部１３ｂに接近させる方向に移動させる。
【００２４】
このように本実施の形態のキャップ１０によれば、内周面の一端部側に螺合部１１ｂを形成するようにしたので、飲料ボトル１００の飲み口１０１の外周部に形成されている螺合部１０２に螺合することにより、外周体１１を飲料ボトル１００の飲み口１０１に固定することができる。また、開閉部１３を設けるようにしたので、蓋係止部１３ａを係止して蓋部１２を閉鎖した状態に保つことができると共に、蓋係止部１３ａの係止を解除することができる。更に、蓋部１２の配設部１２ａに蓋付勢部材１２ｂを設けるようにしたので、例えば、蓋係止部１３ａの係止を解除した場合には、外周体１１の他端部を開放する方向に蓋部１２を付勢することができる。よって、より簡単に飲料ボトル１００の飲み口１０１を開閉することができる。
【００２５】
また、開閉部１３に、外周体１１に対して回動可能に配設され、蓋係止部１３ａを係止する係止保持部１３ｂと、蓋係止部１３ａの係止を解除する方向に係止保持部１３ｂを付勢する解除方向付勢部材１３ｃと、外周体１１に対して変位可能に配設され、蓋係止部１３ａを係止する位置に係止保持部１３ｂを固定すると共に、変位することにより、係止保持部１３ｂの固定を解除する固定部１３ｄとを設けるようにしたので、固定部１３ｄを変位させることにより、更に容易に飲料ボトル１００の飲み口１０１を開閉することができる。
【００２６】
加えて、外周体１１の他端部側には、内周面に、一端部側から他端部側に向かい開口が大きくなるように傾斜された開口傾斜部１１ｃを形成し、蓋部１２の閉鎖側には、開口傾斜部１１ｃに対応するように突出された傾斜凸部１２ｃを設けるようにしたので、開口傾斜部１１ｃと傾斜凸部１２ｃとを密着させることにより、飲料ボトル１００から飲料が漏れるのを抑制することができる。
【００２７】
以上、実施の形態を挙げて本考案を説明したが、本考案は上記実施の形態に限定されるものではなく、種々変形可能である。例えば、上記実施の形態で説明した各構成要素を全て備えていなくてもよく、また、他の構成要素を備えていてもよい。更に、上記実施の形態では、各構成要素について具体的に構造を説明したが、他の構造を有するように構成してもよい。
【産業上の利用可能性】
【００２８】
飲料ボトルのキャップとして使用することができる
【符号の説明】
【００２９】
１０…キャップ、１１…外周部、１１ａ…流路、１１ｂ…螺合部、１１ｃ…開口傾斜部、１２…蓋部、１２ａ…配設部、１２ｂ…蓋部付勢部材、１２ｃ…傾斜凸部、１３…開閉部、１３ａ…蓋係止部、１３ｂ…係止保持部、１３ｃ…解除方向付勢部材、１３ｄ…固定部、１３ｅ…突起部、１３ｆ…挿入穴、１３ｇ…突起部、１３ｈ…回動係止部、１３ｉ…移動部、１００…飲料ボトル、１０１…飲み口、１０２…螺合部
【図１】
0003185058.tif 000003
【図２】
0003185058.tif 000004
【図３】
0003185058.tif 000005
【図４】
0003185058.tif 000006